(57)【特許請求の範囲】
【請求項１】
隣接する遊技台の前方領域の下部を仕切る下部仕切り板に取り付けられる肘掛け装置であって、
前記下部仕切り板に取り付けられる取付部と、
前記取付部に支持される横辺部と、前記横辺部から上方に延在する縦辺部とを含む支持部と、
前記支持部に支持される肘掛け部と、を備え、
前記支持部は、上下移動可能に前記取付部から上方に延在し、
前記取付部が凹字状の被係合穴を有し、
前記支持部の前記横辺部が前記被係合穴に出没可能に突出する係合部を有し、
前記支持部が前記取付部に対し前後回動可能となるように前記係合部が前記被係合穴に係合される
ことを特徴とする肘掛け装置。
【請求項２】
隣接する遊技台の前方領域の下部を仕切る下部仕切り板に取り付けられる肘掛け装置であって、
前記下部仕切り板に取り付けられる取付部と、
前記取付部に支持される横辺部と、前記横辺部から上方に延在する縦辺部とを含む支持部と、
前記支持部に支持される肘掛け部と、を備え、
前記支持部は、上下移動可能に前記取付部から上方に延在し、
前記縦辺部が、内側本体と、前記内側本体に対し摺動可能に被せられた外側筒体とを備え、前記肘掛け部が前記外側筒体に設けられている
ことを特徴とする肘掛け装置。
【請求項３】
前記縦辺部は、上下移動可能に横辺部から上方に延在することを特徴とする請求項１又は２に記載の肘掛け装置。
【請求項４】
前記横辺部は、前記取付部に前後回動可能に挿入されていることを特徴とする請求項１から３のいずれか１項に記載の肘掛け装置。
【請求項５】
前記肘掛け部は、前記支持部に対し前後移動可能に前記支持部に設けられたことを特徴とする請求項１から４のいずれか１項に記載の肘掛け装置。
【請求項６】
前記肘掛け部は、前記支持部に対し左右スイング可能に前記支持部に設けられたことを特徴とする請求項１から４のいずれか１項に記載の肘掛け装置。
【請求項７】
前記肘掛け部がその上面に遊技者の手（肘）を横方向に押し当て可能な押当て部を有することを特徴とする請求項１から６のいずれか１項に記載の肘掛け装置。
【発明の詳細な説明】
【技術分野】
【０００１】
本発明は、肘掛け装置、特に、隣接する遊技台の前方領域の下部を仕切る下部仕切り板に取り付けられる肘掛け装置に関する。
【背景技術】
【０００２】
パチンコ台やスロットマシン等が設置された遊技ホールでは、遊技に集中してもらうため、遊技者ごとに快適な遊技空間を提供する工夫がなされている。例えば、遊技台同士の間に、分煙や防音などを目的として上部に設置される上部仕切り板のほか、隣接する遊技者の足が交差しないようにし、個室感を演出する下部仕切り板が設けられる。また、遊技者の腕の疲労軽減のために、膳板や椅子に肘掛け装置が設けられることもある（椅子に肘掛け装置を設ける場合としては、例えば、特許文献１参照）。
【０００３】
特許文献１には、上面に肘掛台が取付けられた支柱カバーを支柱の上端部にスライド可能に外嵌するとともに、該支柱の基端部を座受体に回動可能に取り付け、該支柱カバー内に該支柱の上端部に形成した複数の係止溝に係脱し得る係止金具を設けて、肘掛台の高さを調整可能とした遊技場用椅子の肘掛け装置において、該肘掛台は、底部に長手方向の長孔を形成し、支柱カバーに該長孔を貫通させた支軸で回動可能に取付けるとともに、該肘掛台を後方へ自動復帰させるための戻しバネを内装したことを特徴とする遊技場用椅子の肘掛け装置が開示されている。
【０００４】
しかしながら、下部仕切り板が設けられているような遊技ホールでは、椅子に肘掛け装置を取り付けると、遊技者の着席、離席にあたり、肘掛け装置が下部仕切り板に衝突する頻度が多くなり、当該遊技者のスムースな動作を確保できないことや、隣の遊技者に不快感を与えるという問題がある。また、衝突が繰り返されることにより、肘掛け装置と下部仕切り板の双方に緩みや損傷を来す可能性が高まるという問題がある。
【先行技術文献】
【特許文献】
【０００５】
【特許文献１】実用登録第３１３６４３２号公報
【発明の概要】
【発明が解決しようとする課題】
【０００６】
本発明は、上記のような事情に鑑みなされたものであり、遊技者が占有できる遊技空間内において、隣接する遊技台の前方領域の下部を仕切る下部仕切り板に取り付けられ、よりよい遊技環境を提供可能な肘掛け装置を提供することを目的とする。
【課題を解決するための手段】
【０００７】
上記課題を解決するため、（１）本発明に係る第１の観点は、隣接する遊技台の前方領域の下部を仕切る下部仕切り板に取り付けられる肘掛け装置であって、前記下部仕切り板に取り付けられる取付部と、前記取付部に前後回動可能に挿入される横辺部と、前記横辺部から上方に延在する縦辺部とを含む支持部と、を備えることを特徴とする。
【０００８】
（２）上記（１）において、前記縦辺部の上部に前記縦辺部に対し前後移動可能に設けられた肘掛け部をさらに備えてもよい。
【０００９】
（３）上記（１）において、前記縦辺部の上部に前記縦辺部に対し左右スイング可能に設けられた肘掛け部をさらに備えてもよい。
【００１０】
（４）上記（１）から（３）のいずれか１つにおいて、前記取付部が凹字状の被係合穴を有し、前記支持部の前記横辺部が前記被係合穴に出没可能に突出する係合部を有し、前記支持部が前記取付部に対し前後回動可能となるように前記係合部が前記係合穴に係合されてもよい。
【００１１】
（５）上記（１）から（４）のいずれか１つにおいて、前記縦辺部が、内側本体と、前記内側本体に対し摺動可能に被せられた外側筒体とを備え、前記肘掛け部は、前記外側筒体に設けられていてもよい。
【００１２】
（６）上記（１）から（５）のいずれか１つにおいて、前記肘掛け部がその上面に遊技者の手（肘）を横方向に押し当て可能な押当て部を有してもよい。
【発明の効果】
【００１３】
本発明によれば、遊技者が占有できる遊技空間内において、隣接する遊技台の前方領域の下部を仕切る下部仕切り板に取り付けられ、よりよい遊技環境を提供可能な肘掛け装置を提供することができる。
【図面の簡単な説明】
【００１４】
【図１】本実施形態に係る肘掛け装置、及び肘掛け装置を設けた下部仕切り板が配置された遊技島を示す斜視図である。
【図２】図１の一部を反対側から拡大して示す斜視図である。
【図３】本実施形態に係る肘掛け装置を設けた下部仕切り板を抽出して示す斜視図であって、肘掛け装置の反対側から見た図である。
【図４】本実施形態に係る肘掛け装置を示す斜視図である。
【図５】同じく、正面図である。
【図６】同じく、背面図である。
【図７】同じく、右側面図である。
【図８】同じく、左側面図である。
【図９】同じく、平面図である。
【図１０】同じく、底面図である。
【図１１】同じく、図６のＡ−Ａ線の断面図である。
【図１２】本実施形態に係る肘掛け装置の一つの変形例を示す正面図である。
【図１３】本実施形態に係る肘掛け装置の他の変形例を示す正面図である。
【発明を実施するための形態】
【００１５】
以下、添付図面を参照して、本発明を実施するための形態（以下、実施形態）について詳細に説明する。以降の図においては、実施形態の説明の全体を通して同じ要素には同じ番号又は符号を付している。
【００１６】
図１に示すように、遊技ホールには、複数の遊技島Ａが配置され、遊技島Ａごとに複数の遊技台Ｂが設置されている。本実施形態に係る下部仕切り板１は、隣接する遊技台Ｂの前方領域の下部を仕切るものである。この下部仕切り板１は、前面が遊技台Ｂの枠体とほぼ同じ位置となるように各遊技台Ｂの台間に配置される上部仕切り板Ｃの床方向に設置されている。遊技台Ｂの前面には膳板Ｄが位置している。
【００１７】
上部仕切り板Ｃは、遊技台Ｂ同士の台間に設けられた取付枠ＣＡ１に固定された分煙ボードＣＡを備えており、下部仕切り板１は、仕切り板本体１０、羽根部１１、テーブル２０、肘掛け装置３０を備えている。図２は、遊技島Ａのうちの１つの遊技台Ｂのスペースを拡大して示しており、肘掛け装置３０は、下部仕切り板１の椅子Ｅの側に設けられている。以下、各別に説明する。
【００１８】
（上部仕切り板）
まず、上部仕切り板Ｃについて、説明する。図１及び図２に示すように、上部仕切り板Ｃは、隣接する遊技台Ｂの間の台間に設けられた取付枠ＣＡ１に設置されており、隣接する遊技台Ｂの前方領域の上部を仕切っている。上部仕切り板Ｃは、分煙や音漏れの防止などの役割を果たす。
【００１９】
ここでは、上部仕切り板Ｃとして、１枚の分煙ボードＣＡを取付枠ＣＡ１に固定的に構成した場合を示しているが、上部仕切り板Ｃは、これに限らず、遊技島Ａの構成、遊技台Ｂの配置、台間の距離などを勘案して、種々の態様を採用してもよい。例えば、上部仕切り板Ｃを摺動可能に構成してもよく、その場合、２枚の分煙ボードから構成して双方とも摺動可能にしたり、２枚の分煙ボードのうち台間に近い方の分煙ボードを台間に固定して遠い方の分煙ボードを摺動可能にしたりすることができる。このほかにも、遠い方の分煙ボードを回動可能又は折畳み可能に取り付けてもよい。
【００２０】
なお、分煙ボードＣＡの形状、寸法などは、図示されたものに限定されることはなく、遊技ホール等のニーズに合わせて種々選択することができる。また、その材質は軽量で丈夫なものであればよいが、遊技者の動作や遊技ホール等のメンテナンスなどの便宜のため、硬すぎないものが好ましい。
【００２１】
（下部仕切り板）
次に、下部仕切り板１について、説明する。図１及び図２に示すように、下部仕切り板１は、仕切り板本体１０、羽根部１１、テーブル２０、肘掛け装置３０ほかを備えている。以下、図３を参照して、下部仕切り板１を詳しく説明する。図３は、下部仕切り板１を肘掛け装置３０の反対側から見た図である。なお、肘掛け装置３０については、図１及び図２では後述する肘掛け部３３が相対的に大きな態様のものを、図３以降では相対的に小さな態様のものを図示しているが、本実施形態の要旨に変わりはない。
【００２２】
（（仕切り板本体））
仕切り板本体１０は、図３に示すように、板形状に形成されており、金属やアルミニウムによって構成され、その周囲は塗装が施されている。仕切り板本体１０に複数の穴を設けて、通気性を確保するようにしてもよい。仕切り板本体１０には、物を掛けるフック（不図示）や、傘、洋服収納容器又はメダル収納容器等を保持する保持部（不図示）を設けることができる。なお、仕切り板本体１０は、樹脂製の素材によって構成することもできる。
【００２３】
（（羽根部））
仕切り板本体１０の側部には樹脂製の羽根部１１が設けられている。この羽根部１１は、遊技台Ｂに対して遠ざかる方向に延びるよう形成されており、下部の一部は接触を避けるための切欠部１１ｃが形成されている。この切欠部１１ｃが有ることによって、椅子Ｅを回転させたときに、椅子Ｅや遊技者の足が羽根部１１に接触することを防ぐことができる。
【００２４】
羽根部１１は、遊技者が接触した時に破損し、あるいは遊技者が怪我を負わないようにするため、一定程度の強度と弾性を有する素材であることが好ましい。これらの条件を満たすためにはアクリル製のボード、例えば、エラストマー性樹脂が含有される素材を使用するのが好ましい。エラストマー性樹脂は、数あるプラスチックの中でもゴム的な性質を最大の特徴としており、ゴムとプラスチックの双方にまたがるような非常に特徴ある使われ方がなされており、一定の強度と弾性を有する点で羽根部１１の素材として最適である。なお、エラストマー性樹脂に限定されず、透明であって一定の強度と弾性を有する素材であれば代替可能である。
【００２５】
羽根部１１の形状又は大きさは、遊技店に設置される隣接する遊技島Ａとの間隔や、遊技台Ｂの台間に設置される上部仕切り板Ｃの形状、及び大きさに応じて適宜変更可能である。なお、羽根部１１と、仕切り板本体１０は一体成形されていてもよい。
【００２６】
ここでは、羽根部１１は、仕切り板本体１０にネジ（不図示）によって取り付けた例を示している。羽根部１１は、ネジを緩めることによって取り外すことができることから、大きい羽根部と小さい羽根部とを用意しておき、必要に応じて大きい羽根部と小さい羽根部を選択的に仕切り板本体１０に取付ることができる。
【００２７】
羽根部１１には、広告用パネルＰを収容する収容部１１ａが形成されており、収容部１１ａに収容された広告用パネルＰを保持する保持爪１１ｂ（保持部）が設けられている。保持爪１１ｂにそって広告用パネルＰを収容部１１ａに収容させていき、広告用パネルＰすべてを収容部１１ａに入れることができる。この構成によって広告用パネルＰを簡単に変更することができる。図に示す例では、羽根部１１の両側にそれぞれ広告用パネルＰを収容することができるように構成したが、両側に広告表示がなされた１枚の広告用パネルＰを一つ収容部に装着して、両側から視認することができるように構成することもできる。なお、広告用パネルＰを収容する収容部１１ａを羽根部１１に設ける例について説明したが、広告用パネルＰを収容する収容部１１ａを仕切り板本体１０に設けるようにしてもよい。
【００２８】
（（テーブル））
下部仕切り板１には、テーブル２０が設けられており、不使用時には仕切り板本体１０の内側に折り畳まれて収納される。このテーブル２０は収納状態から展開状態に展開させることができ、収納状態から展開状態に起こしたときに、テーブル２０を遊技台Ｂに対して前後方向にスライドさせることができる。仕切り板本体１０には仕切り板本体１０から突出し、テーブル２０の回動を規制するロック部２５が取り付けられている。このロック部２５によって、テーブル２０は、展開状態において回動軸２１方向にスライドさせたときにテーブル２０の回動が規制されている。
【００２９】
（（肘掛け装置））
肘掛け装置３０の詳細な構成は項をあらためて後述するが、ここでは、下部仕切り板１に取り付けられた状態を簡単に説明する。仕切り板本体１０には、図３に示すように、その左側で遊技する遊技者の側に肘掛け装置３０が設けられる。ここでは、肘掛け装置３０が下部仕切り板１の上端１ａに固定されている例を示している。これにより、肘掛け装置３０に遊技者の手（手首から前腕部）が載置されることによって、遊技者が遊技台Ｂのハンドルに手を掛ける際の負担を軽減することができる。
【００３０】
（（側部固定部））
次に側部固定部４０について説明する。側部固定部４０は、取付金具４０ａが設けられており、この取付金具４０ａには、複数の孔４０ｂが形成されている。取付金具４０ａは、膳板Ｄの下側に位置し、ネジを介して膳板Ｄに螺着固定される。テーブル２０が展開状態となったときにテーブル２０の上面と膳板Ｄの上面が略一致するように、仕切り板本体１０に対する取付金具４０ａの位置が決定されている。このように構成することで、テーブル２０と膳板Ｄを遊技者が一体的に使用することができる。
【００３１】
（（高さ調整部））
下部仕切り板１には、肘掛け装置３０の高さを遊技台Ｂのハンドルの高さに対して調整するために高さ調整部４１が設けられている。高さ調整部４１は、下部固定部４２を構成する取付金具４２ａから垂直方向に立設されたフレーム部４２ｃと、仕切り板本体１０とフレーム部４２ｃを固定するネジ（固定手段）４２ｄと、を有する。仕切り板本体１０は、端部が中空に形成されており、この端部に対してフレーム部４２ｃが摺動可能に構成されている。膳板Ｄの下部と取付金具４２ａの位置が決まると、フレーム部４２ｃと仕切り板本体１０の位置関係が決定する。
【００３２】
（（下部固定部））
次に下部固定部について説明する。下部固定部４２は、仕切り板本体１０を床に固定するためのものである。下部固定部４２は、取付金具４２ａを有し、この取付金具４２ａには、複数の孔４２ｂが設けられている。上記高さ調整後、取付金具４２ａの孔４２ｂにアンカー等でホールの床面に打ち付けることにより、下部仕切り板１を、床面にしっかりと固定することができる。
【００３３】
（肘掛け装置の詳細）
肘掛け装置３０の詳細な構成について、図４から図１１を参照して説明する。図４は斜視図、図５は正面図、図６は背面図、図７は右側面図、図８は左側面図、図９は平面図、図１０は底面図、図１１は図６のＡ−Ａ線の断面図をそれぞれ示している。
【００３４】
図４に示すように、肘掛け装置３０は、取付部３１と、支持部３２と、肘掛け部３３とを備えている。取付部３１は、下部仕切り板１などの構造体に取り付けられる。支持部３２は、取付部３１に前後回動可能に挿入される横辺部３２１と、横辺部３２１に対し上方に延在する縦辺部３２２とを含んでおり、全体として略Ｌ字型をなしている。そして、縦辺部３２２の上部には、肘掛け部３３が設けられている。肘掛け部３３は、縦辺部３２２に対し固定的に設けられていてもよいし、前後移動可能及び／又は左右スイング可能に設けられていてもよい。前後移動可能とする場合には、例えば肘掛け部３３の内側に摺動可能なレール状のガイド部材を設けておき、手（肘）を放すと原位置に自動的に戻るように付勢力をバネ等によって付与しておけばよい。左右スイング可能とする場合には、例えば縦辺部３２２の取り付け箇所（支点）をバネ等によって構成し、付勢力を付与して首振り状態が可能なようにしておけばよい。
【００３５】
取付部３１は、取付部本体３１１と、取付部本体３１１から支持部３２の側に筒状に突出する突出部３１２とを備えている。ここでは、取付部本体３１１として、下部仕切り板１の上端１ａをコの字状に跨る態様を示している。取付部本体３１１は、その上面に設けられているネジ穴３１１ａを経由して、下部仕切り板１の上端１ａにネジ固定される。
【００３６】
突出部３１２には、支持部３２の横辺部３２１が挿入される。突出部３１２の上面には縦辺部３２２に対して凹字状の被係合穴３１２ａが設けられており（図９参照）、支持部３２の横辺部３２１の上面に出没可能に設けられている係合部３２１ａが被係合穴３１２ａに係合する。被係合穴３１２ａが凹字状に形成されていることから、前方の窪み、後方の窪みに係合部３２１ａを係合させることによって、支持部３２は、取付部３１に対して前後方向に回動可能となる。
【００３７】
ここで、図４から図１１は、係合部３２１ａを凹字状の被係合穴３１２ａの前方の窪みに係合した状態、すなわち支持部３２が前方に回動された状態を示している。遊技者は、縦辺部３２２を外側に押し出すようにして、被係合穴３１２ａの形状を経由して、係合部３２１ａを凹字状の被係合穴３１２ａの後方の窪みに係合させ、支持部３２を後方に回動された状態とすることができる。
【００３８】
支持部３２において、横辺部３２１と縦辺部３２２は、継ぎ手部３２３に嵌入されている（換言すると、横辺部３２１は、支持部３２に支持されている。）。縦辺部３２２は、図５及び図６に示すように、取付部３１の側に若干傾斜するように構成されている。これは、取付部３１とは反対側に遊技者が着席していることを考慮しているものである。横辺部３２１は、継ぎ手部３２３の側方口３２３ａから嵌入されており、縦辺部３２２は、継ぎ手部３２３の上方口３２３ｂから嵌入されている。継ぎ手部３２３の内部においては、図１１に示すように、横辺部３２１は、その断面が略半円形に形成されており、縦辺部３２２は、横辺部３２１の略半円形の上方に当接するように嵌入されている。
【００３９】
ここで、縦辺部３２２は、継ぎ手部３２３に嵌入される内側本体３２２ａと、内側本体３２２ａに対し摺動可能に被せられた外側筒体３２２ｂとから構成されている。肘掛け部３３が支持部３２の縦辺部３２２の上部に設けられていることを前述したが、より詳細には、肘掛け部３３は、外側筒体３２２ｂの上部に設けられていることとなる。同様に、肘掛け部３３が縦辺部３２２に対し前後移動可能及び／又は左右スイング可能に設けられていることを前述したが、より詳細には、肘掛け部３３は、外側筒体３２２ｂに対し前後移動可能及び／又は左右スイング可能に設けられていることとなる。
【００４０】
内側本体３２２ａは、その内部に、縦方向に延在する一連の凹凸が形成された被係合部材３２２ｃを有しており、外側筒体３２２ｂは、その内部に、被係合部材３２２ｃに係合する係合部材３２２ｄを有している。外側筒体３２２ｂの上部にはボタン３２２ｅが設けられており、ボタン３２２ｅを押すことによって係合部材３２２ｄが被係合部材３２２ｃから解除され、外側筒体３２２ｂは内側本体３２２ａに対して上下（昇降）移動可能となり、ボタン３２２ｅを放すことによって遊技者の好みに応じた高さに調節できる。すなわち、前記縦辺部３２２は、上下移動可能に横辺部３２１から上方に延在している。
【００４１】
（変形例）
本実施形態の変形例について説明する。上記の説明では、縦辺部３２２の内側本体３２２ａひいては支持部３２が取付部３１に対して前後に回動可能である例を示したが、遊技者の好みによって肘掛け装置３０を使用しない場合や、遊技ホールの清掃や遊技台Ｂのメンテナンスを行う際に肘掛け装置３０を移動させたい場合などには、例えば、被係合穴３１２ａについて凹字状を一部に含む環状又は半環状に構成することにより、縦辺部３２２の内側本体３２２ａひいては支持部３２が下方を向くことができるようにしてもよい。
【００４２】
また、例えば、継ぎ手部３２３を屈曲可能に構成することにより、支持部３２の縦辺部３２２を取付部３１の側に折り畳めるように構成してもよいし、支持部３２の横辺部３２１を伸縮可能に構成することにより、横辺部３２１を継ぎ手部３２３又は取付部３１の突出部３１２に収納するように構成してもよい。これらの構成によっても、遊技台Ｂの前扉を開閉する際などの場合に肘掛け装置３０との干渉を回避することができる。
【００４３】
さらに、上記の説明では、取付部３１を下部仕切り板１の上端１ａに取り付ける例を示したが、高さ調整部４１によって下部仕切り板１が遊技ホールの床面に対して高く位置するような場合などには、例えば、取付部３１を平面に固定され得る平板状に構成することにより、仕切り板本体１０の中間位置に取り付けられるようにしてもよい。また、取付部３１を下部仕切り板１ではなく、上下一体に形成された仕切り板や壁面などに取り付けてもよく、要は椅子以外の構造体に取り付けることができる。
【００４４】
さらにまた、上記の説明では、縦辺部３２２の内側本体３２２ａと横辺部３２１を各別の部材で構成した例を示したが、例えば、図１２に示すように、それらを略Ｌ字型に折り曲げた１本のパイプ状のもので一体的に構成してもよい。このように構成すると、継ぎ手部３２３が不要となり、部品点数を減少させることができる。また、上記の説明では、肘掛け部３３の上面に遊技者が手（肘）を置く例を示したが、図１３に示すように、肘掛け部３３の上面に遊技者の手（肘）を横方向に押し当てることができる押当て部３３ａを設けてもよい。このように構成すると、手（肘）が肘掛け部３３から滑り落ちることを防止し、遊技者がよりリラックスして手（肘）を置くことができる。
【００４５】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４６】
１…下部仕切り板
１０…仕切り板本体
１１…羽根部
２０…テーブル
３０…肘掛け装置
４０…側部固定部
４１…高さ調整部
４２…下部固定部
Ｃ…上部仕切り板
【図１】
0006710854.tif 000002
【図２】
0006710854.tif 000003
【図３】
0006710854.tif 000004
【図４】
0006710854.tif 000005
【図５】
0006710854.tif 000006
【図６】
0006710854.tif 000007
【図７】
0006710854.tif 000008
【図８】
0006710854.tif 000009
【図９】
0006710854.tif 000010
【図１０】
0006710854.tif 000011
【図１１】
0006710854.tif 000012
【図１２】
0006710854.tif 000013
【図１３】
0006710854.tif 000014